(57)【特許請求の範囲】
【請求項１】
便器本体に取り付けられる便座装置であって、
前記便器本体の後部に配置される機能部材と、
前記機能部材を覆うカバー部材と、
前記カバー部材に回動可能に取り付けられる便座及び便蓋と、
前記便座及び便蓋を回動させる電動開閉機構と、
前記電動開閉機構を制御する制御部を有する制御基板と、
前記電動開閉機構が配置される電動開閉機構配置部と、前記制御基板が配置される制御基板配置部と、を有し、前記電動開閉機構及び前記制御基板を一体化して前記カバー部材の内側面に取り付け固定するための固定部材と、を備え、
前記制御基板配置部は、前記制御基板を、下方に向いた状態で前記カバー部材の内側面に取り付け固定し、
前記電動開閉機構及び前記制御基板は、前記カバー部材の内側面に取り付け固定される便座装置。
【発明の詳細な説明】
【技術分野】
【０００１】
本発明は、便座装置に関する。
【背景技術】
【０００２】
従来、便器本体に取り付けられる便座及び便蓋を自動で開閉可能な便座装置が知られている（例えば、特許文献１参照）。特許文献１に記載の便座装置においては、便座及び便蓋の少なくともいずれかの軸支部に駆動装置を設けた電動開閉ユニットにより、便座及び便蓋の自動開閉を可能にしている。
【先行技術文献】
【特許文献】
【０００３】
【特許文献１】特開２０１４−２１７７７９号公報
【発明の概要】
【発明が解決しようとする課題】
【０００４】
上述のような従来の便座装置では、電動開閉ユニットを制御する制御部と、衛生洗浄ユニットや、温風乾燥ユニット、脱臭ユニットなどの他の機能部材を制御する制御部とが、１つの制御基板に実装されている。
そのため、従来、電動開閉ユニットの代わりに、スローダウンユニットなどを取り付けた場合に、機能部材を制御する制御基板に実装された電動開閉ユニットを制御する制御部は、無駄になってしまっていた。
【０００５】
本発明は、機能部材を制御する制御基板とは別に、電動開閉機構を制御する制御部を有する制御基板を設けることにより、無駄が無く汎用性の高い便座装置を提供することを目的とする。
【課題を解決するための手段】
【０００６】
本発明は、便器本体に取り付けられる便座装置（例えば、後述する便座装置１）であって、前記便器本体の後部に配置される機能部材（例えば、後述する機能部材３１）と、前記機能部材を覆うカバー部材（例えば、後述する機能部カバー部材５）と、前記カバー部材に回動可能に取り付けられる便座及び便蓋（例えば、後述する便座及び便蓋２）と、前記便座及び便蓋を回動させる電動開閉機構（例えば、後述する電動開閉機構３３）と、前記電動開閉機構を制御する制御部を有する制御基板（例えば、後述する開閉制御基板３６）と、を備え、前記電動開閉機構及び前記制御基板は、前記カバー部材の内側面に取り付け固定される便座装置を提供する。
【０００７】
また、前記電動開閉機構が配置される電動開閉機構配置部（例えば、後述する電動開閉機構配置部３２１）と、前記制御基板が配置される制御基板配置部（例えば制御基板配置部３２２）と、を有し、前記電動開閉機構及び前記制御基板を一体化して前記カバー部材の内側面に取り付け固定するための固定部材（例えば、後述する固定部材３２）をさらに備えることが好ましい。
【０００８】
また、前記制御基板は、下方に向いた状態で前記カバー部材の内側面に取り付け固定されることが好ましい。
【発明の効果】
【０００９】
本発明によれば、機能部材を制御する制御基板とは別に、電動開閉機構を制御する制御部を有する制御基板を設けることにより、無駄が無く汎用性の高い便座装置を提供することができる。
【図面の簡単な説明】
【００１０】
【図１】本発明の一実施形態に係る便座装置を備える便器の全体構成の斜視図である。
【図２】本実施形態に係る便座装置が備えるカバー部材内部の斜視図である。
【図３】本実施形態に係る便座装置が備えるカバー部材の内側面の斜視図である。
【図４】本実施形態に係る便座装置が備える固定部材の斜視図である。
【図５】本実施形態に係る便座装置が備える電源開閉機構、制御基板及び固定部材の斜視図である。
【発明を実施するための形態】
【００１１】
以下、本発明の一実施形態について、図面を参照しながら詳しく説明する。
【００１２】
以下の説明においては、便座装置１の便座に座った人から視た場合の前後の向きを前後方向とする。また、一対の側部カバー７，７が離間する方向を左右方向とする。また、側部カバー７から機能部カバー部材５へ向かう方向（図１の上方向）を上方向とし、その反対方向を下方向とし、これらを上下方向とする。まず、本発明の一実施形態に係る便器の全体構成１０について、図１〜図５を参照しながら説明する。
【００１３】
便器の全体構成１０は、図１に示すように、便座装置１と、便器本体６と、一対の側部カバー７と、を備える。
【００１４】
便座装置１は、便座（不図示）及び便蓋２と、機能部３と、洗浄水タンク４と、機能部カバー部材５と、を含んで構成される。便座装置１は便器本体６の上部に取り付けられ固定される。
【００１５】
便座（不図示）及び便蓋２は機能部カバー部材５に回動自在に取り付けられる。具体的には便蓋２の左側端部２１（図１中紙面左下側）及び右側端部２２（図１中紙面右上側）の内側には、それぞれ左側ヒンジ部２１１、右側ヒンジ部２２１が形成されている。該左側ヒンジ部２１１に、後述の電動開閉機構３３の第１駆動部材３４の第１回動軸部材３４１が接続される。同様に、便座（不図示）の左側ヒンジ部には第２駆動部材３５の第２回動軸部材３５１が接続される。
これにより、便蓋２は第１駆動部材３４の電動モータ（不図示）を駆動することで回動可能に構成され、また、便座（不図示）は第２駆動部材３５の電動モータ（不図示）を駆動することで回動可能に構成される。
【００１６】
図１〜図２に示すように、機能部３は、機能部材３１と、固定部材３２と、電動開閉機構３３と、開閉制御基板３６と、を含んで構成される。機能部３は、洗浄水タンク４の前方に配置される。
【００１７】
機能部材３１は、例えば「衛生洗浄機構」、「温風乾燥機構」、「脱臭機構」などの各機構と（不図示）、該各機構を制御する制御部を有するメイン制御基板３１ａと、から構成される。従って、本発明のメイン制御基板３１ａには、電動開閉機構３３を制御する制御部は含まれていない。これにより、便器本体６の規格変更が生じても、メイン制御基板３１ａを調整する必要は生じず、本発明の機能部材３１は、様々な規格の便器に対し共通して使用できる。
【００１８】
図２及び図４に示す固定部材３２は、電動開閉機構配置部３２１と、制御基板配置部３２２と、取り付け部３２３と、から構成される。固定部材３２は、電動開閉機構配置部３２１に電動開閉機構３３を組付けるとともに、制御基板配置部３２２に開閉制御基板３６を組付け、一体化させた後、固定部材３２の取り付け部３２３が、後述する機能部カバー部材５の内側面５１に設けられた被取り付け部５２にネジ固定される。これにより、固定部材３２は、電動開閉機構３３及び開閉制御基板３６を機能部カバー部材５の内側面５１に取り付け固定できる。
【００１９】
電動開閉機構配置部３２１には、第１駆動部材３４を配置する第１駆動部材配置部３２１ａと、第２駆動部材３５を配置する第２駆動部材配置部３２１ｂと、駆動部材カバー３２１ｃと、が設けられる（図３参照）。
【００２０】
電動開閉機構配置部３２１の各駆動部材配置部に第１駆動部材３４及び第２駆動部材３５を配置することにより、電動開閉機構配置部３２１の右方側から第１駆動部材３４の第１回動軸部材３４１及び第２駆動部材３５の第２回動軸部材３５１が、それぞれ挿通した状態で配置される（図５参照）。
電動開閉機構配置部３２１の駆動部材カバー３２１ｃは、第１駆動部材３４及び第２駆動部材３５を覆うように被せた後、固定部材３２に対してネジ固定される。これにより、機能部カバー部材５を便器本体６に設置させた際に、第１駆動部材３４及び第２駆動部材３５の落下を防ぐことができる。
【００２１】
図２に示すように、制御基板配置部３２２は、電動開閉機構配置部３２１の右側に連続し、略矩形状に設けられる。制御基板配置部３２２は、開閉制御基板３６を取り付けるための基板取り付け面３２２ａと、開閉制御基板３６を固定する係合爪３２２ｂを有している。
【００２２】
図２に示すように、基板取り付け面３２２ａは、固定部材３２を機能部カバー部材５の内側面５１に取り付けた際に、基板取り付け面３２２ａが下方に向いた状態で設けられる。
これにより、制御基板配置部３２２は、後述する開閉制御基板３６の表側面３６１を下方に向けた状態で機能部カバー部材５の内側面５１に固定できる。従って、機能部カバー部材５の内側面５１に生じた結露は、制御基板配置部３２２の裏面を伝って流れるため、開閉制御基板３６を結露から守ることができる。
【００２３】
図５に示すように、係合爪３２２ｂは、開閉制御基板３６の周縁部の一部を挟み込み、開閉制御基板３６を基板取り付け面３２２ａ上に固定させる。
これにより、制御基板配置部３２２は種々の開閉制御基板３６を取り付け可能にできる。即ち、便座及び便蓋２の規格変更により、必要な駆動制御を行う制御部を有する開閉制御基板３６を変更する場合が生じたとしても、係合爪３２２ｂを使用して該制御基板配置部３２２に種々の開閉制御基板３６を配置できる。
【００２４】
図５に示すように電動開閉機構３３は、第１駆動部材３４と、第２駆動部材３５と、から構成される。電動開閉機構３３は、固定部材３２を機能部カバー部材５の内側面５１に取り付ける際に、第１回動軸部材３４１及び第２回動軸部材３５１が後述する機能部カバー部材５の穴部５３に、挿通するよう取り付けられる。
【００２５】
第１駆動部材３４は、電動モータ（不図示）及び第１回動軸部材３４１からなり、また、第２駆動部材３５は、電動モータ（不図示）及び第２回動軸部材３５１からなる。そして、第１駆動部材３４は機能部カバー部材５に対して便座（不図示）を回動させ、また、第２駆動部材３５は機能部カバー部材５に対して便蓋２を回動させるものである。
【００２６】
第１回動軸部材３４１及び第２回動軸部材３５１は、円柱状の部材の径方向の両端部において、軸方向に沿った平面で切断したような形状に形成され、それぞれ上述した機能部カバー部材５の穴部５３に挿通する。これにより、第１回動軸部材３４１及び第２回動軸部材３５１は、それぞれ各左側ヒンジ部の内部にまで延出し、第１回動軸部材３４１は便座に接続され、第２回動軸部材３５１は便蓋に接続される。
【００２７】
開閉制御基板３６は、該開閉制御基板３６の表側面３６１に、基板３６２及びソケット３６３が設けられる。該基板３６２は、電動開閉機構３３の電動モータ（不図示）のトルクや回動角度の制御を担う制御部が実装されており、該基板３６２はソケット３６３を介して、電動開閉機構３３に電気的に接続される。
また、開閉制御基板３６は、上述のように固定部材３２の制御基板配置部３２２に配置することにより、電動開閉機構３３に隣接して設けられる。そのため、電動開閉機構３３からメイン制御基板３１ａへ配線していた従来の技術に比べ、本実施形態の電動開閉機構３３から開閉制御基板３６への配線３７は、その取り回しが容易である。
【００２８】
洗浄水タンク４は、便器本体６を洗浄する洗浄水を貯留する。該洗浄水タンク４に貯留された洗浄水は排水口を介して便器本体６へ放出される。
【００２９】
図３に示すように機能部カバー部材５は、機能部３及び洗浄水タンク４を覆うように形成される。該機能部カバー部材５の内側面５１には、被取り付け部５２及び穴部５３が形成される。
【００３０】
被取り付け部５２は、固定部材３２の取り付け部３２３が取り付け固定される部位である。なお、本実施形態において、被取り付け部５２は、機能部カバー部材５の内側面５１に４か所設けているが別段これに限られず、機能部カバー部材５の内側面５１に十分支持できる範囲内であればその数を適宣調整することができる。
【００３１】
穴部５３は機能部カバー部材５の内側面５１から外側面にかけて、連通する貫通形態の円形に形成される。該穴部５３は上述した第１駆動部材３４の第１回動軸部材３４１及び第２駆動部材３５の第２回動軸部材３５１が、挿通される。
【００３２】
便器本体６は、特に限定されるものではなく、種々の規格の水洗便器を適用できる。
【００３３】
一対の側部カバー７，７は、便器本体６の後方の左右方向の両側部を塞ぐように形成される。一対の側部カバー７，７の形状は、便器本体６の左右方向において対称の形状である。
【００３４】
ここで、図４〜図５に示すように、電動開閉機構３３及び開閉制御基板３６は例えば次のように固定部材３２に組付けられる。
【００３５】
先ず、樹脂材料を上述の固定部材３２に成形加工した後、第１駆動部材３４及び第２駆動部材３５を、それぞれ固定部材３２の電動開閉機構配置部３２１に配置する。その後、電動開閉機構配置部３２１の駆動部材カバー３２１ｃを第１駆動部材３４及び第２駆動部材３５を覆うように被せることにより、電動開閉機構３３が形成される。
次いで、開閉制御基板３６を係合爪３２２ｂを使用して、制御基板配置部３２２に取り付けた後、電動開閉機構３３の第１駆動部材３４及び第２駆動部材３５からの配線３７を、それぞれ開閉制御基板３６のソケット３６３に接続させる。
これにより、電動開閉機構３３と開閉制御基板３６を組付け、一体化した固定部材３２が得られる。
【００３６】
また、図２〜図３に示すように、上述の固定部材３２は、例えば次のように機能部カバー部材５の内側面５１に取り付け固定される。
先ず、樹脂材料を上述の機能部カバー部材５に成形加工して、機能部カバー部材５の内側面５１、被取り付け部５２及び穴部５３を、それぞれ形成する。
次いで、機能部カバー部材５の穴部５３に第１駆動部材３４の第１回動軸部材３４１及び第２駆動部材３５の第２回動軸部材３５１を挿通させた状態で、機能部カバー部材５の被取り付け部５２に固定部材３２の取り付け部３２３をあてがい、両部材をネジ固定する。
これにより、電動開閉機構３３及び開閉制御基板３６は、固定部材３２に一体化した状態で、機能部カバー部材５の内側面５１に取り付け固定される。
【００３７】
また、図１に示すように、本発明に係る便座装置１は、例えば次のように製造される。
先ず、便器本体６の後部に機能部材３１を洗浄水タンク４の前方に配置した後、該機能部材３１及び洗浄水タンク４を覆うように機能部カバー部材５を被せる。
次いで、機能部カバー部材５の穴部５３より延出する第１回動軸部材３４１に便蓋の左側ヒンジ部２１１を取り付けるとともに、機能部カバー部材５の穴部５３より突出する第２回動軸部材３５１に便座（不図示）の左側ヒンジ部に取り付ける。
これにより、電動開閉機構３３及び開閉制御基板３６が機能部カバー部材５の内側面に取り付け固定された便座装置１が製造される。
【００３８】
以上説明した本実施形態の便座装置１によれば以下のような効果が奏される。
【００３９】
本実施形態の便座装置１は、便器本体６に取り付けられるものであって、便器本体６の後部に配置される機能部材３１と、機能部材３１を覆う機能部カバー部材５と、機能部カバー部材５に回動可能に取り付けられる便座及び便蓋２と、便座及び便蓋２を回動させる電動開閉機構３３と、電動開閉機構３３を制御する制御部を有する開閉制御基板３６と、を備える構成とした。具体的には、便座装置１の電動開閉機構３３及び開閉制御基板３６は、機能部カバー部材５の内側面５１に取り付け固定される構成とした。具体的には、機能部材３１を制御するメイン制御基板３１ａとは別に電動開閉機構３３を制御する開閉制御基板３６を設けている。
これにより、機能部カバー部材５の内側面５１に、便座及び便蓋２の規格に合わせた回動制御を行う電動開閉機構３３及び該電動開閉機構３３を制御する制御部を有する開閉制御基板３６を適宣取り付けることができる。
一方で、従来、電動開閉機構の代わりに、スローダウン機構などを取り付けた場合に、機能部材を制御する制御基板に実装された電動開閉ユニットを制御する制御部が無駄になってしまっていたが、本実施形態では機能部材３１を制御するメイン制御基板３１ａとは別に、電動開閉機構３３を制御する開閉制御基板３６を設け、電動開閉機構３３及び開閉制御基板３６を機能部カバー部材５の内側面５１に配設したことで、無駄が無く汎用性の高い便座装置を提供することができる。
【００４０】
また、本実施形態の便座装置１においては、電動開閉機構３３が配置される電動開閉機構配置部３２１と、開閉制御基板３６が配置される制御基板配置部３２２と、を有し、電動開閉機構３３及び開閉制御基板３６を一体化して前記カバー部材の内側面に取り付け固定するための固定部材３２をさらに備える構成とした。具体的には、電動開閉機構３３および開閉制御基板３６の取り付けには、機能部カバー部材５の内側面５１に設けた４か所の被取り付け部５２が利用される。
一般的に、電動開閉機構３３および開閉制御基板３６を機能部カバー部材５の内側面５１に取り付け固定するには、電動開閉機構３３の被取り付け部と、開閉制御基板３６の係合爪とを該内側面５１に設ける必要があった。それに対し、本実施形態では、該４か所の被取り付け部５２に固定部材３２を取り付け可能にしたことで、機能部カバー部材５の内側面５１に、別途、開閉制御基板３６用の被取り付け部を設ける必要が無い。
これにより、機能部カバー部材５を形成する際のヒケ発生のリスクを低減することができる。
更には、本実施形態では電動開閉機構３３と開閉制御基板３６を一体化させたことで、電動開閉機構３３と開閉制御基板３６を配線させた状態で、機能部カバー部材５の内側面５１に取り付けることができる。その結果、取り付け作業の効率を向上できる。
【００４１】
また、本実施形態の便座装置１においては、開閉制御基板３６は、下方に向いた状態で機能部カバー部材５の内側面５１に取り付け固定される構成とした。
これにより、機能部カバー部材５の内側面５１に発生した結露による、開閉制御基板３６のショートを抑制できる。その結果、機能部カバー部材５の形状が変更された場合であっても、同様の構成及び同様の機能を利用できるため、実用性が高く、また汎用性が高い便座装置をより具体的に提供することができる。
【００４２】
なお、本発明は上記実施形態に限定されるものではなく、本発明の目的を達成できる範囲での変形、改良等は本発明に含まれる。
例えば、本発明の機能部材３１は上記の機構に限定されず、上記「衛生洗浄機構」、「温風乾燥機構」、「脱臭機構」以外の機構も適宣包含することができる。
【符号の説明】
【００４３】
１…便器本体
２…便座及び便蓋
３…便座装置
３…機能部
３１…機能部材
３２…固定部材
３２１…電動開閉機構配置部
３２２…制御基板配置部
３３…電動開閉機構
３６…開閉制御基板（制御基板）
５…機能部カバー部材（カバー部材）
５１…機能部カバー部材の内側面（カバー部材の内側面）
６…便器本体
１０…便器の全体構成
【図１】
0006661382.tif 000002
【図２】
0006661382.tif 000003
【図３】
0006661382.tif 000004
【図４】
0006661382.tif 000005
【図５】
0006661382.tif 000006